(57)【要約】【課題】底板の補強を容易にすること、収納時に一面に投入口を形成し収納後に投入口を封鎖すること。【解決手段】収納スペース５への収納時に、封鎖板１１を折線を介して第一側板１０の表面側に起こすとともに、封鎖板補強板８４を切込及び折線を介して第五側板７６の表面側に起こして第一側板１０の一端部に投入口２を形成し、収納後に、封鎖板補強板８４を切込及び折線を介して投入口２側に倒し、封鎖用舌片１２を折線を介して投入口２側へ起こすとともに封鎖板１１を折線を介して投入口２側へ起こし、封鎖用舌片１２を切込に差し込むとともに封鎖板１１を封鎖板補強板８４上に重ねることによって投入口２を封鎖するように構成する。【選択図】    図１
2011037517.tif 000002
【特許請求の範囲】
【請求項１】
収納スペースを形成する箱本体を備える収納箱において、
一端部側に幅方向に設けた折線を介して折り返し自在に封鎖板を設けるとともに、前記封鎖板に折線を介して折り返し自在に封鎖用舌片を設けた第一側板と、
前記第一側板に連接する第二側板と、
前記第一側板に連接する第三側板と、
前記第二側板に連接する第四側板と、
前記第四側板に連接するとともに、前記第一側板の一端部と対向する一端部に両側部に折線を有する切込を介して折り返し自在に封鎖板補強板を設け、前記封鎖板補強板側を前記第一側板の一端部側と重ね合わされる第五側板と、
前記第一側板、前記第二側板、前記第三側板及び前記第四側板にそれぞれ連接する底板部材と
を備え、
前記収納スペースへの収納時に、前記封鎖板を前記折線を介して前記第一側板の表面側に起こすとともに、前記封鎖板補強板を前記切込及び折線を介して前記第五側板の表面側に起こして前記第一側板の一端部側に投入口を形成し、
前記収納スペースへの収納後に、前記封鎖板補強板を前記切込及び折線を介して前記投入口側に倒し、前記封鎖用舌片を前記折線を介して前記投入口側へ起こすとともに前記封鎖板を前記折線を介して前記投入口側へ起こし、前記封鎖用舌片を前記切込に差し込むとともに前記封鎖板を前記封鎖板補強板上に重ねることによって前記投入口を封鎖するように構成して成る
ことを特徴とする収納箱。
【請求項２】
請求項１記載の収納箱において、
前記第五側板は、両側部に位置ずれ防止用の凹欠部を設け、
前記第二側板及び前記第三側板は、取っ手用穴を設け、
前記第二側板は、切込及び折線を介して第二側板補強板を設け、
前記第三側板は、切込及び折線を介して第三側板補強板を設け、
前記第二側板補強板及び前記第三側板補強板は、前記切込及び折線を介して前記第二側板及び前記第三側板の内側へそれぞれ折り込まれて前記取っ手用穴を塞ぐとともに前記第二側板及び前記第三側板の補強を行い、前記切込によって前記凹欠部に嵌り込む規制用舌片を形成するとともに前記折線による折り返し部に前記第五側板の凹欠部の両側部を受け止める棚部を形成する
ことを特徴とする収納箱。
【請求項３】
請求項２記載の収納箱において、
前記箱本体の底板には、底板補強板が載置され、
前記第二側板補強板及び前記第三側板補強板は、端部側に切込及び折線を介して底板補強板規制用舌片を設け、
前記底板補強板規制用舌片は、前記切込及び折線を介して相互に対向するように起立され、前記底板補強板を前記底板方向へ押圧する
ことを特徴とする収納箱。
【請求項４】
請求項３記載の収納箱において、
前記底板補強板は、前記箱本体の底板上への降下時に空気抜きを行う穴を設け、前記封鎖用舌片に切取線を介して連接し、前記収納箱の組立時に前記切取線を介して切り離される
ことを特徴とする収納箱。
【請求項５】
請求項１記載の収納箱において、
前記封鎖板は、前記第一側板の一端部側に前記第一側板の全幅に亘って設けた折線と、前記折線の両端部と前記第二側板及び前記第三側板の境界を為す折線に設けた切込とで構成され、前記折線を介して折り返し自在とされている
ことを特徴とする収納箱。
【請求項６】
請求項１記載の収納箱において、
前記封鎖板は、前記第二側板及び前記第三側板の境界を為す折線と平行して前記第一側板に設けた２つの切込と、前記２つの切込と両端部が繋がるように前記第一側板の一端部側に幅方向に設けた折線とで構成され、前記折線を介して折り返し自在とされている
ことを特徴とする収納箱。
【請求項７】
請求項６記載の収納箱において、
前記封鎖板の両側部側の前記第一側板は、前記第五側板を載置する支持壁を形成する
ことを特徴とする収納箱。
【請求項８】
請求項１乃至請求項７の何れか記載の収納箱において、
前記収納スペースを形成する箱本体を形成する前段階では、
前記第三側板と前記第四側板とを連結し、前記第一側板乃至前記第四側板の隣接する２つの側板を連ねるとともに残りの２つの側板と重ねた折り畳み状態にされている
ことを特徴とする収納箱。
【発明の詳細な説明】
【技術分野】
【０００１】
本発明は、例えば、機密書類又はデータを入れたメディアなどの収納物を収納する収納箱に関する。
【背景技術】
【０００２】
従来、例えば、段ボール製の収納箱は、内部に収納スペースが形成される箱本体と、この箱本体の収納スペースを開閉する蓋体とで構成され、収納スペースへの収納物の収納が終わると、収納スペースを蓋体で封鎖し、ガムテープなどで蓋体が開かないようにしている。そして、これらの収納箱は、底板が複数の部材を組み込むことによって構成されている（例えば、特許文献１，２参照）。
【先行技術文献】
【特許文献】
【０００３】
【特許文献１】特開２００４−２６８９５６号公報
【特許文献２】特開２００７−２６１６５３号公報
【発明の概要】
【発明が解決しようとする課題】
【０００４】
しかしながら、従来の収納箱は、収納物を収納するために、蓋体を開放し、収納スペースへの収納物の収納が終わると、収納スペースを蓋体で封鎖するように構成されているために、蓋体の開放時の軌跡に応じたスペースを確保しておく必要があった。
また、特許文献１の収納箱では、底板の補強の際に内底シートを別に用意する必要があった。
【０００５】
一方、特許文献２の収納箱では、底面部の寸法に設定された付属シートを箱本体の上端に切り離し自在に備えているので、特許文献１の不具合を解消することができる。
しかしながら、特許文献２の収納箱では、付属シートが、底面部の寸法に設定されているため、付属シートの投入時に底面部と付属シートとの間の空気が抜きにくく、付属シートを底面部に組み付け難いという不具合がある。
【０００６】
また、特許文献１，２の収納箱では、例えば、機密書類又はデータを入れたメディアなどの収納物を都度投入しながら収納する作業に用いると、収納作業後に蓋体で箱本体を覆い、その後にガムテープなどによって蓋体を封鎖する必要があった。
【０００７】
本発明は斯かる従来の問題点を解決するために為されたもので、その目的は、収納物の収納時に蓋体を開放しなくても収納物の収納を可能とする収納箱を提供することにある。
本発明の別の目的は、底板の補強を容易にできる収納箱を提供することにある。
本発明のさらに別の目的は、収納時に一面に投入口を形成し収納後に投入口を封鎖することが可能な収納箱を提供することにある。
【課題を解決するための手段】
【０００８】
請求項１に係る発明は、収納スペースを形成する箱本体を備える収納箱において、一端部側に幅方向に設けた折線を介して折り返し自在に封鎖板を設けるとともに、前記封鎖板に折線を介して折り返し自在に封鎖用舌片を設けた第一側板と、前記第一側板に連接する第二側板と、前記第一側板に連接する第三側板と、前記第二側板に連接する第四側板と、前記第四側板に連接するとともに、前記第一側板の一端部と対向する一端部に両側部に折線を有する切込を介して折り返し自在に封鎖板補強板を設け、前記封鎖板補強板側を前記第一側板の一端部側と重ね合わされる第五側板と、前記第一側板、前記第二側板、前記第三側板及び前記第四側板にそれぞれ連接する底板部材とを備え、前記収納スペースへの収納時に、前記封鎖板を前記折線を介して前記第一側板の表面側に起こすとともに、前記封鎖板補強板を前記切込及び折線を介して前記第五側板の表面側に起こして前記第一側板の一端部側に投入口を形成し、前記収納スペースへの収納後に、前記封鎖板補強板を前記切込及び折線を介して前記投入口側に倒し、前記封鎖用舌片を前記折線を介して前記投入口側へ起こすとともに前記封鎖板を前記折線を介して前記投入口側へ起こし、前記封鎖用舌片を前記切込に差し込むとともに前記封鎖板を前記封鎖板補強板上に重ねることによって前記投入口を封鎖するように構成して成ることを特徴とする。
【０００９】
請求項２に係る発明は、請求項１記載の収納箱において、前記第五側板は、両側部に位置ずれ防止用の凹欠部を設け、前記第二側板及び前記第三側板は、取っ手用穴を設け、前記第二側板は、切込及び折線を介して第二側板補強板を設け、前記第三側板は、切込及び折線を介して第三側板補強板を設け、前記第二側板補強板及び前記第三側板補強板は、前記切込及び折線を介して前記第二側板及び前記第三側板の内側へそれぞれ折り込まれて前記取っ手用穴を塞ぐとともに前記第二側板及び前記第三側板の補強を行い、前記切込によって前記凹欠部に嵌り込む規制用舌片を形成するとともに前記折線による折り返し部に前記第五側板の凹欠部の両側部を受け止める棚部を形成することを特徴とする。
【００１０】
請求項３に係る発明は、請求項２記載の収納箱において、前記箱本体の底板には、底板補強板が載置され、前記第二側板補強板及び前記第三側板補強板は、端部側に切込及び折線を介して底板補強板規制用舌片を設け、前記底板補強板規制用舌片は、前記切込及び折線を介して相互に対向するように起立され、前記底板補強板を前記底板方向へ押圧することを特徴とする。
請求項４に係る発明は、請求項３記載の収納箱において、前記底板補強板は、前記箱本体の底板上への降下時に空気抜きを行う穴を設け、前記封鎖用舌片に切取線を介して連接し、前記収納箱の組立時に前記切取線を介して切り離されることを特徴とする。
【００１１】
請求項５に係る発明は、請求項１記載の収納箱において、前記封鎖板は、前記第一側板の一端部側に前記第一側板の全幅に亘って設けた折線と、前記折線の両端部と前記第二側板及び前記第三側板の境界を為す折線に設けた切込とで構成され、前記折線を介して折り返し自在とされていることを特徴とする。
請求項６に係る発明は、請求項１記載の収納箱において、前記封鎖板は、前記第二側板及び前記第三側板の境界を為す折線と平行して前記第一側板に設けた２つの切込と、前記２つの切込と両端部が繋がるように前記第一側板の一端部側に幅方向に設けた折線とで構成され、前記折線を介して折り返し自在とされていることを特徴とする。
【００１２】
請求項７に係る発明は、請求項６記載の収納箱において、前記封鎖板の両側部側の前記第一側板は、前記第五側板を載置する支持壁を形成することを特徴とする。
請求項８に係る発明は、請求項１乃至請求項７の何れか記載の収納箱において、前記収納スペースを形成する箱本体を形成する前段階では、前記第三側板と前記第四側板とを連結し、前記第一側板乃至前記第四側板の隣接する２つの側板を連ねるとともに残りの２つの側板と重ねた折り畳み状態にされていることを特徴とする。
【発明の効果】
【００１３】
本発明によれば、一側板に形成する開閉自在な投入口から機密書類又はデータを入れたメディア等を都度投入しながら収納し、収納後には、投入口を形成する側板でガムテープ等の貼着部材を用いることなく密封することができる。
本発明によれば、左右側板の内側に補強板を折り込んで補強し、側板から一側板を支える構造にすることによって、一側板に投入口を設けても、箱の積み重ねた時の強度を損なわない高強度の収納箱を提供できる。
【００１４】
本発明によれば、左右側板の内側に補強板を折り込んで補強し、投入口を設けた一側板を支える構造にすることによって、箱の強度を高めてあるから、投入口を塞ぐ部位に貼付される封印シールが破れ難くなり、信頼性の高い収納箱を提供できる。
本発明によれば、底板補強板を組み立てられた底板上に載置するとともに、左右の側板を補強する補強板によって側板補強板を拘束することによって、組み立て式の底板であっても、底板から手を差し入れて中の書類等を抜き出せない収納箱を提供できる。
【００１５】
本発明によれば、取っ手用穴の内側を左右の側板を補強する補強板によって塞ぐことによって、持ち運び時には取っ手用穴から手を差し入れて持ち手とすることが可能で、取っ手用穴から内部を見ることができない密封性の高い収納箱を提供できる。
本発明によれば、一側板に形成される投入口をその両側部が一側板に残るように形成したので、残された一側板と残りの３つの側板とで箱断面形状を構成し、箱の積み重ね時に蓋体に掛かる荷重を各側板で支えることが可能となり、積み重ねられたそれぞれの箱を荷崩れを起こすことなく確実に支えることができる。
【図面の簡単な説明】
【００１６】
【図１】本発明の第一実施形態に係る収納箱１の展開図である。
【図２】組立前の本実施形態に係る収納箱１を作業現場へ搬入した状態を示す斜視図である。
【図３】図２に示す本実施形態に係る収納箱１から底板補強板２０を分離した状態を示す斜視図である。
【図４】図３に示す組立前の本実施形態に係る収納箱１の組立時に底板補強板２０を投入する状態を一部を透視して示す斜視図である。
【図５】図４に示す組立中の本実施形態に係る収納箱１の底板補強板２０，第二側板補強板３８及び第三側板補強板６１による組立時の状態を一部を透視して示す斜視図である。
【図６】図５のＡ−Ａ線に沿った断面図である。
【図７】組立後に投入口２を形成した本実施形態に係る収納箱１を示す斜視図である。
【図８】組立後に投入口２を閉鎖した本実施形態に係る収納箱１を示す斜視図である。
【図９】図８のＸ矢視拡大図である。
【図１０】投入口２を閉鎖した本実施形態に係る収納箱１に封印シール４を貼付した状態を示す斜視図である。
【図１１】本発明の第二実施形態に係る収納箱１００の展開図である。
【図１２】組立前の本実施形態に係る収納箱１００を作業現場へ搬入した状態を示す斜視図である。
【図１３】組立前の本実施形態に係る収納箱１００を作業現場へ搬入した状態を示す斜視図である。
【図１４】組立後に投入口１０２を形成した本実施形態に係る収納箱１００を示す斜視図である。
【図１５】組立後に投入口１０２を閉鎖した本実施形態に係る収納箱１００を示す斜視図である。
【図１６】投入口１０２を閉鎖した本実施形態に係る収納箱１００に封印シール１０４を貼付した状態を示す斜視図である。
【発明を実施するための形態】
【００１７】
以下、本発明に係る収納箱を図面に示す実施形態に基づいて説明する。
[第一実施形態]
図１は、本発明の第一実施形態に係る収納箱１の展開図である。
本実施形態に係る収納箱１は、前面板を形成し、封鎖可能な投入口２を形成する第一側板１０と、第一側板１０に切り離し自在に連結する穴あきの底板補強板２０と、側面板を形成し、第一側板１０の一側部に折線２２を介して連接する第二側板２８と、側面板を形成し、第一側板１０の他側部に折線２３を介して連接する第三側板５０と、第二側板２８の一端部に折線３２，３３，３４，３５及び切込３１を介して連接する第二側板補強板３８と、第三側板５０の一端部に折線５４，５５，５６，５７及び切込５３を介して連接する第三側板補強板６１と、側面板を形成し、第二側板２８の一側部に折線４９を介して連接する第四側板７２と、天板を形成し、第四側板７２の一端部に折線７５を介して連接する第五側板７６と、底板を形成し、第一側板１０、第二側板２８、第三側板５０及び第四側板７２の他端部にそれぞれ折線２４，４７，７０，８５を介して連接する第一底板部材２５、第二底板部材４８、第三底板部材７１及び第四底板部材８６をそれぞれ折り畳むことによって形成される第六側板８９とを備えている。
【００１８】
第一側板１０は、例えば、図面等の大きめの書類が入れ易いように、横に広い矩形状にした投入口２を形成する開閉自在な封鎖板１１と、第五側板７６の切込８１によって形成される差込口３に差し込まれて封鎖板１１を封鎖保持する封鎖用舌片１２とを備えている。
封鎖板１１は、第二側板２８及び第三側板５０との境界を為す折線２２，２３の一部を切断する切込１３，１４とするとともに、切込１３，１４の終端１３ａ，１４ａ間を折線１５で連結することによって、第一側板１０に対して折線１５を介して第一側板１０の全幅に対して起伏自在に連結し、投入口２を形成することができる。投入口２の高さは、例えば、厚めの書類が入り、かつ、書類以外の大きなものが入り難いように、切込１３，１４の長さを調整することによって求められる。
【００１９】
封鎖用舌片１２は、封鎖板１１の底板補強板２０側において、天板を形成する第五側板７６の切込８１によって形成される差込口３に差込可能な幅を有し、封鎖板１１との境目に鉤型の係止部１６，１６を備えている。そして、封鎖用舌片１２は、第五側板７６の切込８１によって形成される差込口３に差し込まれるときに、封鎖板１１から折り曲げられるように、鉤型の係止部１６，１６の間口の上端部１６ａから折線１７に向かって切込１６ｂが設けてある。ここで、鉤型の係止部１６，１６の間口の上端部１６ａと折線１７との距離は、第五側板７６の板厚に相当する。また、封鎖板１１の封鎖用舌片１２側の端部１８ａ，１８ｂは、切込１３，１４の始端１３ｂ，１４ｂと繋がっている。
【００２０】
底板補強板２０は、中央部に空気抜き穴２１を設け、封鎖用舌片１２との間に切取線１９を介して連結している。底板補強板２０は、第六側板８９に比し４周が板厚分だけ小さく、第二側板補強板３８及び第三側板補強板６１の係止用補強片４１，６４で第六側板８９方向へ押圧することができる程度の面積を有する板材に設定されている。なお、空気抜き穴２１は、複数設けても良い。また、形状は丸に限らず、任意である。また、底板補強板２０は、複数の空気抜き穴２１を設ける場合には、第六側板８９と同等の大きさ又は僅かに小さくした大きさにすることも可能である。
【００２１】
第一底板部材２５は、底板補強板２０と対向して折線２４を介して第一側板１０に連接している。第一底板部材２５は、折線２７を介して貼着片２６を備えている。
第二側板２８は、取っ手用穴２９と、本実施形態に係る収納箱１の天板を形成する第五側板７６の動きを規制する規制用舌片３０とを備えている。
取っ手用穴２９は、本実施形態に係る収納箱１の搬送時に作業者が軍手をして手を掛けることができる程度の大きさに設定されている。
【００２２】
第二側板２８と第二側板補強板３８との境界には、第二側板２８の幅方向に位置ずれ防止用の凹欠部８０とほぼ同じ長さとなるように設けた切込３１と、この切込３１の両端部３１ａ，３１ｂから第二側板補強板３８の側端部３９，４０に向かって同一線上に設けた折線３２，３３と、封鎖板１１の端部１８ａに、切込１３の端部１３ｂを介して繋がる折線３５と、折線３５の端部３５ａと切込３１の端部３１ｂとの間に設けた切込３７と、切込３１の端部３１ａから切込３７と対称に設けた切込３６と、切込３６の端部３６ａから第四側板７２との境界を為す折線４９に向かって折線３５と同一線上に設けた折線３４とが形成されている。
【００２３】
そして、規制用舌片３０は、第二側板補強板３８を折線３２，３３，３４，３５に沿って第二側板２８側へ折り曲げることによって、第二側板２８の端部から突出することになる。
ここで、規制用舌片３０は、第二側板補強板３８との境界部に設けられ、天板を形成する第五側板７６に設けた位置ずれ防止用の凹欠部８０に嵌り込むことができる長さと、位置ずれ防止用の凹欠部８０に嵌り込んだときに第五側板７６とほぼ同じ高さ又は１ｍｍ〜２ｍｍ程度高い高さとを備えている。本例では、凹欠部８０の板厚より１ｍｍ〜２ｍｍ程度高く設定されている。
【００２４】
規制用舌片３０の両側部には、折線３２，３４を折ることによって棚部２８ａが形成され、折線３３，３５を折ることによって棚部２８ｂが形成される。
第二側板補強板３８は、組み立てられて収納箱１の底板を形成する第六側板８９上に本実施形態に係る収納箱１の内側から載置された底板補強板２０を組み立てられた第六側板８９上に係止するための底板補強板規制用舌片４１を備えている。底板補強板規制用舌片４１は、２つのコ字型の切込４２，４３と、２つのコ字型の切込４２，４３の各端部４２ｂ，４３ａを繋ぐ折線４５と、コ字型の切込４２の端部４２ａと第二側板補強板３８の側端部３９とを繋ぐ折線４４と、コ字型の切込４３の端部４３ｂと第二側板補強板３８の側端部４０とを繋ぐ折線４６とで構成されている。
【００２５】
第二側板補強板３８は、組立時に第二側板２８の内側へ折り込まれるため、折線３４と折線４９との連結部３４ｂより板厚分差し引いた点３９ａから側部３９を立ち上げ、折線３５と折線２２との連結部１３ｂより板厚分差し引いた点４０ａから側部４０を立ち上げてることによって、両端部３９，４０が第二側板補強板３８の板厚分だけ折線４９，２２より内側へ寄せてある。
第二側板補強板３８は、第二側板２８の裏面側へ折り込まれたときの高さＨ１は、第二側板２８の高さＨより底板補強板２０及び貼着片８７の板厚分だけ短く設定されている。
【００２６】
第二底板部材４８は、第二側板補強板３８と対向して折線４７を介して第二側板２８に連接している。
第三側板５０は、収納箱１の側面板を形成し、第二側板２８と同形状を為している。
第三側板５０は、取っ手用穴５１と、本実施形態に係る収納箱１の天板を構成する第五側板７６の動きを規制する規制用舌片５２とを備えている。
【００２７】
取っ手用穴５１は、取っ手用穴２９と同様に、本実施形態に係る収納箱１の搬送時に作業者が軍手をして手を掛けることができる大きさに設定されている。
第三側板５０と第三側板補強板６１との境界には、天板を形成する第三側板５０の幅方向に位置ずれ防止用の凹欠部７９と同じ長さとなるように設けた切込５３と、この切込５３の両端部から第三側板補強板６１の側端部６２，６３に向かって同一線上に設けた折線５４，５５と、封鎖板１１の端部１８ｂに、切込１４の端部１４ｂを介して繋がる折線５６と、折線５６の端部５６ａと切込５３の端部５３ａとの間に設けた切込５８と、切込５３の端部５３ｂから切込５８と対称に設けた切込５９と、切込５９の端部５９ａから第三側板５０の側端部６０に向かって折線５６と同一線上に設けた折線５７とが形成されている。
【００２８】
規制用舌片５２は、第三側板補強板６１を折線５４，５５，５６，５７に沿って第三側板５０側へ折り曲げることによって、第三側板５０の端部から突出することになる。
ここで、規制用舌片５２は、第三側板補強板６１との境界部に設けられ、天板を構成する第五側板７６に設けた位置ずれ防止用の凹欠部７９に嵌り込むことができる長さと、位置ずれ防止用の凹欠部７９に嵌り込んだときに第五側板７６とほぼ同じ高さ又は１ｍｍ〜２ｍｍ程度高い高さとを備えている。本例では、凹欠部７９の板厚より１ｍｍ〜２ｍｍ程度高く設定されている。
【００２９】
規制用舌片５２の両側部には、折線５４，５６を折ることによって棚部５０ａが形成され、折線５５，５７を折ることによって棚部５０ｂが形成される。
第三側板補強板６１は、組み立てられて収納箱１の底板を形成する第六側板８９上に本実施形態に係る収納箱１の内側から載置された底板補強板２０を組み立てられた第六側板８９上に係止するための底板補強板規制用舌片６４を備えている。底板補強板規制用舌片６４は、２つのコ字型の切込６５，６６と、２つのコ字型の切込６５，６６の各端部６５ｂ，６６ａを繋ぐ折線６８と、コ字型の切込６５の端部６５ａと第三側板補強板６１の側端部６２とを繋ぐ折線６７と、コ字型の切込６６の端部６６ｂと第三側板補強板６１の側端部６３とを繋ぐ折線６９とで構成されている。
【００３０】
第三側板補強板６１は、第三側板５０の裏面側へ折り込まれたときの高さＨ１は、第三側板５０の高さＨより底板補強板２０及び貼着片２６の板厚分だけ短く設定されている。
第三底板部材７１は、折線７０を介して第三側板５０に連接している。
第四側板７２は、折線７３を介して組立時に第三側板５０に糊付けされる接続用舌片７４を設け、折線４９を介して第二側板２８に連接している。第四側板７２は、横幅が第一側板１０と同じにしてある。
【００３１】
第五側板７６は、折線７５を介して第四側板７２に連接し、両側部７７，７８に規制用舌片３０，５２を嵌り込ませる位置ずれ防止用の凹欠部７９，８０を備えている。位置ずれ防止用の凹欠部７９，８０は、規制用舌片３０，５２とほぼ同じ形状を為している。位置ずれ防止用の凹欠部７９，８０の前後には、棚部２８ａ，２８ｂ、５０ａ，５０ｂに嵌め込まれる係止用端部７７ａ，７７ｂ、７８ａ，７８ｂを備えている。係止用端部７７ａ，７７ｂ、７８ａ，７８ｂは、棚部２８ａ，２８ｂ、５０ａ，５０ｂとほぼ同じ形状を為している。
【００３２】
第五側板７６は、封鎖用舌片１２を差し込ませる差込口３を形成する切込８１を設けた封鎖板補強板８４を備えている。切込８１の両端部８１ａ，８１ｂには、折線７５と平行に折線８２，８３が設けられている。
第四底板部材８６は、折線８５を介して第四側板７２に連接している。第四底板部材８６は、折線８８を介して貼着片８７を備えている。
【００３３】
次に、本実施形態に係る収納箱１の作用について説明する。
ここでは、本実施形態に係る収納箱１を、例えば、機密書類又はデータを入れたメディアを都度投入しながら収納するために用いる場合について説明する。
先ず、図１に示す展開された状態において、折線３３，４９を介して第三側板５０と第四側板８５をそれぞれ第一側板１０及び第二側板２８の裏側に折り込み、図２に示す作業現場への納品時の状態とする。
【００３４】
ここで、第三側板５０と第四側板７２とは、折線７３を介して接続用舌片７４を第三側板５０の内側へ折り込み、第三側板５０に接続用舌片７４を糊付けすることによって固着されている。
また、第一側板１０、第二側板２８、第三側板５０及び第四側板７２にそれぞれ折線２４，４７，７０，８５を介して連接する第一底板部材２５、第二底板部材４８、第三底板部材７１及び第四底板部材８６を、それぞれ第一側板１０、第二側板２８、第三側板５０及び第四側板７２の内側に折り畳み、第三底板部材７１の一部を第一側部材２５上に重ねるとともに第二底部材４８の一部を第四底部材８６上に重ねた状態で、第一底板部材２５の貼着片２６が第三底板部材７１の裏面側に糊付けするとともに、第四底板部材８６の貼着片８７が第二底板部材４８の裏面側に糊付けすることによって固着されている。
【００３５】
次に、図３に示すように、底板補強板２０を切取線１９を介して第一側板１０の封鎖用舌片１２から分離する。
次に、図４、図５に示すように、折線２２，３３，４９を介して第一側板１０、第二側板２８、第三側板５０及び第四側板７２を、第一側板１０と第四側板７２とが対向し、第二側板２８と第三側板５０とが対向するように起こす。
【００３６】
同時に、第一底板部材２５の貼着片２６が第三底板部材７１を引き込むとともに、第一底板部材２５上に第三底板部材７１の一部を重ね、第四底板部材８６の貼着片８７が第二底板部材４８を引き込むとともに、第四底板部材８６上に第二底板部材４８の一部を重ねることによって底板を構成する第六側板８９を組み上げる。ここで、第六側板８９の組立は、公知である。
【００３７】
次いで、底板補強板２０を、組み立てられた第六側板８９上に載置する。この際、中央部に設けた空気抜き穴２１及び底板補強板２０と第一側板１０、第二側板２８、第三側板５０及び第四側板７２との隙間が、底板補強板２０の降下時の空気の抜け道を形成し、底板補強板２０の降下を容易にし、底板補強板２０の第六側板８９上への載置作業をやり易くする。
【００３８】
次いで、図５に示すように、折線３２，３３，３４，３５を介して第二側板補強板３８を、組み立てられた第二側板２８の内側へ折り込む。この際、折線４４，４５，４６を介して底板補強板規制用舌片４１をＬ字型に折り起こしておく。この折り起こされた底板補強板規制用舌片４１によって底板補強板２０の一側部を第六側板８９方向へ押し付ける。
次いで、図５に示すように、折線５４，５５，５６，５７を介して第三側板補強板６１を、組み立てられた第三側板５０の内側へ折り込む。この際、折線６７，６８，６９を介して底板補強板規制用舌片６４をＬ字型に折り起こしておく。この折り起こされた底板補強板規制用舌片６４によって底板補強板２０の他側部を第六側板８９方向へ押し付ける。
【００３９】
以上によって、図６に示すように、第二側板２８の内側に第二側板補強板３８を折り込むことによって補強し、第三側板５０の内側に第三側板補強板６１を折り込むことによって補強し、第六側板８９上に載置された底板補強板２０を第二側板補強板３８の底板補強板規制用舌片４１及び第三側板補強板６１の底板補強板規制用舌片６４によって補強する底板の補強構造が形成される。
【００４０】
次に、図７に示すように、折線１５を介して封鎖板１１及び封鎖用舌片１２を第一側板１０の前面側へ押し倒す。同時に、折線８２，８３を介して封鎖板補強板８４を起こし、折線７５を介して第五側板７６を第六側板８９方向へ押し倒し、両側部の凹欠部７９，８０を規制用舌片３０，５２を嵌め込み、凹欠部７９，８０の前後の係止用端部７７ａ，７７ｂ、７８ａ，７８ｂを棚部２８ａ，２８ｂ、５０ａ，５０ｂに嵌め込むことによって拘束する。
【００４１】
これによって、本実施形態に係る収納箱１には、第一側板１０に投入口２が形成され、内部に収納スペース５が形成される。
この状態で、本実施形態に係る収納箱１は、例えば、機密書類又はデータを入れたメディアを都度投入口２から収納スペース５内に投入しながら収納することが可能となる。
この際、投入口２の向きは、図面に示すように、横長形状にしても、あるいは、縦長形状になるようにしても良い。
【００４２】
そして、所定量のメディアの投入が完了すると、図８に示すように、折線８２，８３を介して封鎖板補強板８４を投入口２側に折り曲げ、封鎖板１１を折線１５を介して起こすとともに、折線１７を介して封鎖用舌片１２をＬ字型に折り曲げる。
次いで、図８に示すように、封鎖板１１を封鎖板補強板８４上に重ねながら封鎖用舌片１２を切込８１によって形成される差込口３内に挿入し、封鎖板１１を封鎖板補強板８４上に結合する。
【００４３】
斯くして、例えば、２０ｋｇ等の所定量のメディアを投入した本実施形態に係る収納箱１は、投入口２が封鎖板１１及び封鎖用舌片１２によって封鎖される。
この状態で、図１０に示すように、天板である第五側板７６から前面板である第一側板１０に亘って封印シール４を貼付する。
ここで、封鎖用舌片１２による切込８１によって形成される差込口３への差し込みによって、封鎖用舌片１２の鉤型の係止部１６，１６の間口が切込８１の両端部８１ａ，８１ｂに係止され、封鎖用舌片１２の抜け出しを防止する。
【００４４】
従って、所定量のメディアを投入した本実施形態に係る収納箱１は、第五側板７６が両側部の凹欠部７９，８０を規制用舌片３０，５２に嵌め込み、凹欠部７９，８０の前後の係止用端部７７ａ，７７ｂ、７８ａ，７８ｂを棚部２８ａ，２８ｂ、５０ａ，５０ｂに嵌め込むことによって拘束された状態で、封鎖板補強板８４を封鎖用舌片１２によって係止されるので、収納箱１の形態を保持することが可能となる。
【００４５】
以上のように、本実施形態に係る収納箱１では、前面板である第一側板１０に投入口２を設けたので、収納物の収納時に蓋体である第五側板７６を開放しなくても収納物の収納を可能とすることができる。
また、本実施形態に係る収納箱１では、前面板である第一側板１０に投入口２を設けたので、収納箱１を積み重ねた時の強度不足を補うために、左右の側板である第二側板２８及び第三側板５０にそれぞれ第二側板補強板３８及び第三側板補強板６１を折り込み可能に設け、両側面から前面板を支える構造にして強度を高めた。
【００４６】
従って、前面板である第一側板１０に投入口２を設けても、収納箱１を積み重ねた時に投入口２側から崩れるという課題が解消された。
その結果、１箱最大２０ｋｇの収納箱１を、例えば、最大５段重ねにして集配効率を図ることが可能となった。
従って、この状態で天板である第五側板７６から前面板である第一側板１０に亘って貼付された封印シール４は、破れる虞が無くなる。
【００４７】
これに対し、収納箱の形態が保持できない場合には、天板がずれると蓋部分の天板から前面にかけて貼付する封印シール４が破れてしまうことがある。
封印シール４は開封の有無を確認するために判じられるものであるから、容易に破れることはセキュリティ上不都合である。
本実施形態に係る収納箱１によれば、このような不具合を解消することが可能となる。
【００４８】
そして、底板を形成する第六側板８９には、図５、図６に示すように、第二側板２８の内側に第二側板補強板３８を折り込むことによって補強し、第三側板５０の内側に第三側板補強板６１を折り込むことによって補強し、第六側板８９上に載置された底板補強板２０を第二側板補強板３８の底板補強板規制用舌片４１及び第三側板補強板６１の底板補強板規制用舌片６４によって補強することができるので、この種の組立式の側板の欠点である中央部分の強度低下を確実に補うことが可能となる。
【００４９】
従って、例えば、収納箱１内に最大２０ｋｇ程度の収納物を収納しても、その荷重は底板補強板２０を介して底板である第六の底板８９に均等に分散し、底板である第六の底板８９が抜けるという虞はなくなる。
また、運搬時に底板である第六の底板８９だけが、何かに引っ掛かって外れるリスクを軽減できる。
【００５０】
また、底板を形成する第六側板８９には、図５、図６に示すように、第二側板２８の内側に第二側板補強板３８を折り込むことによって補強し、第三側板５０の内側に第三側板補強板６１を折り込むことによって補強し、第六側板８９上に載置された底板補強板２０を第二側板補強板３８の底板補強板規制用舌片４１及び第三側板補強板６１の底板補強板規制用舌片６４によって補強することができるので、この種の組立式の側板の欠点である底板からの侵入を阻止することが可能となる。
【００５１】
即ち、収納箱１の底板を形成する第六側板８９から手を入れて中のメディアを抜き取ろうとしても、第二側板補強板３８の底板補強板規制用舌片４１及び第三側板補強板６１の底板補強板規制用舌片６４によって補強された底板補強板２０によって、侵入を確実に阻止し、収納物の抜き取りを防止することが可能となり、セキュリティ性が高まった。
【００５２】
また、第二側板２８及び第三側板５０は、図５、図６に示すように、第二側板２８の内側に第二側板補強板３８を折り込むことによって補強し、第三側板５０の内側に第三側板補強板６１を折り込むことによって補強しているので、取っ手用穴２９，５１が第二側板補強板３８及び第三側板補強板６１によって封鎖され、収納箱１の内部が見えないようにされる。これによって、取っ手用穴２９，５１から収納箱１内の機密書類又はデータを入れたメディアなどの収納物を見ることができなくなり、セキュリティ性が高まった。
【００５３】
そして、収納箱１の搬送時において、作業者が軍手をした手を取っ手用穴２９，５１に差し込み、収納箱１を持ち上げる際に、第二側板２８及び第三側板５０は、段ボールなどによって構成されているため、収納箱１の内部方向に撓んで作業者の手の挿入を許容し、所定の位置に収納箱１を載置し、手を離したときには、第二側板２８及び第三側板５０は、自身の復元力で元に戻り、取っ手用穴２９，５１を内側から封鎖する。従って、搬送後においても、収納箱１の密閉性を担保することが可能となる。
また、底板補強板２０の四隅、第二側板補強板３８及び第三側板補強板６１の係止用補強片４１，６４の両隅、第五側板７６の封鎖板補強板８４の両隅には、丸みを施し、作業者が搬送し易くしてある。
【００５４】
[第二実施形態]
図１１は、本発明の第二実施形態に係る収納箱１００の展開図である。
本実施形態に係る収納箱１００は、第一側板１１０の一端部側の一部に封鎖可能な投入口１０２を形成する封鎖板１１１を設けた点で、上述した第一実施形態に係る収納箱１とは異なる。
【００５５】
本実施形態に係る収納箱１００は、前面板を形成し、封鎖可能な投入口１０２を形成する第一側板１１０と、第一側板１１０に切り離し自在に連結する穴あきの底板補強板１２０と、側面板を形成し、第一側板１１０の一側部に折線１２２を介して連接する第二側板１２８と、側面板を形成し、第一側板１１０の他側部に折線１２３を介して連接する第三側板１５０と、第二側板１２８の一端部に折線１３２，１３３，１３４，１３５及び切込１３１を介して連接する第二側板補強板１３８と、第三側板１５０の一端部に折線１５４，１５５，１５６，１５７及び切込１５３を介して連接する第三側板補強板１６１と、側面板を形成し、第二側板１２８の一側部に折線１４９を介して連接する第四側板１７２と、天板を形成し、第四側板１７２の一端部に折線１７５を介して連接する第五側板１７６と、底板を形成し、第一側板１１０、第二側板１２８、第三側板１５０及び第四側板１７２の他端部にそれぞれ折線１２４，１４７，１７０，１８５を介して連接する第一底板部材１２５、第二底板部材１４８、第三底板部材１７１及び第四底板部材１８６をそれぞれ折り畳むことによって形成される第六側板１８９とを備えている。
【００５６】
第一側板１１０は、例えば、第一実施形態の投入口２よりも間口の幅の狭い投入口１０２を形成する開閉自在な封鎖板１１１と、第五側板１７６の切込１８１によって形成される差込口１０３に差し込まれて封鎖板１１１を封鎖保持する封鎖用舌片１１２とを備えている。
封鎖板１１１は、第二側板１２８及び第三側板１５０との境界を為す折線１２２，１２３とそれぞれ平行して第一側板１１０の一端部側（底板部材１２５の反対側の端部）から切り込まれた２つの切込１１３，１１４と、２つの切込１１３，１１４と両端部が繋がるように第一側板１１０の一端部側（底板部材１２５の反対側の端部）と平行に設けた折線１１５とを連結することによって、第一側板１１０に対して折線１１５を介して第一側板１１０の幅方向に対して起伏自在に連結し、投入口１０２を形成することができる。
【００５７】
投入口１０２の高さは、例えば、機密書類又はデータを入れたメディアなどの収納物に応じて切込１１３，１１４の長さを調整することによって求められる。また、投入口１０２の幅は、例えば、機密書類又はデータを入れたメディアなどの収納物に応じて切込１１３，１１４の間隔を調整することによって求められる。
封鎖板１１１の両側部には、第五側板１７６を載置する支持壁１９０，１９１が形成される。
封鎖用舌片１１２は、封鎖板１１１の底板補強板１２０側において、天板を形成する第五側板１７６の切込１８１によって形成される差込口１０３に差込可能な幅を有し、封鎖板１１１との境目に鉤型の係止部１１６，１１６を備えている。
【００５８】
そして、封鎖用舌片１１２は、第五側板１７６の切込１８１によって形成される差込口１０３に差し込まれるときに、封鎖板１１１から折り曲げられるように、鉤型の係止部１１６，１１６の間口の上端部１１６ａから折線１１７に向かって切込１１６ｂが設けてある。
ここで、鉤型の係止部１１６，１１６の間口の上端部１１６ａと折線１１７との距離は、第五側板１７６の板厚に相当する。また、封鎖板１１１の封鎖用舌片１１２側の端部１１８ａ，１１８ｂは、折線１２２，１２３と繋がっている。
【００５９】
底板補強板１２０は、中央部に空気抜き穴１２１を設け、封鎖用舌片１１２との間に切取線１１９を介して連結している。底板補強板１２０は、第六側板１８９に比し４周が板厚分だけ小さく、第二側板補強板１３８及び第三側板補強板１６１の係止用補強片１４１，１６４で第六側板１８９方向へ押圧することができる程度の面積を有する板材に設定されている。なお、空気抜き穴１２１は、複数設けても良い。また、形状は丸に限らず、任意である。また、底板補強板１２０は、複数の空気抜き穴１２１を設ける場合には、第六側板１８９と同等の大きさ又は僅かに小さくした大きさにすることも可能である。
【００６０】
第一底板部材１２５は、底板補強板１２０と対向して折線１２４を介して第一側板１１０に連接している。第一底板部材１２５は、折線１２７を介して貼着片１２６を備えている。
第二側板１２８は、取っ手用穴１２９と、本実施形態に係る収納箱１００の天板を形成する第五側板１７６の動きを規制する規制用舌片１３０とを備えている。
取っ手用穴１２９は、本実施形態に係る収納箱１００の搬送時に作業者が軍手をして手を掛けることができる程度の大きさに設定されている。
【００６１】
第二側板１２８と第二側板補強板１３８との境界には、第二側板１２８の幅方向に位置ずれ防止用の凹欠部１８０とほぼ同じ長さとなるように設けた切込１３１と、この切込１３１の両端部１３１ａ，１３１ｂから第二側板補強板１３８の側端部１３９，１４０に向かって同一線上に設けた折線１３２，１３３と、封鎖板１１１の端部１１８ａに、切込１１３の端部１１３ｂを介して繋がる折線１３５と、折線１３５の端部１３５ａと切込１３１の端部１３１ｂとの間に設けた切込１３７と、切込１３１の端部１３１ａから切込１３７と対称に設けた切込１３６と、切込１３６の端部１３６ａから第四側板１７２との境界を為す折線１４９に向かって折線１３５と同一線上に設けた折線１３４とが形成されている。
【００６２】
そして、規制用舌片１３０は、第二側板補強板１３８を折線１３２，１３３，１３４，１３５に沿って第二側板１２８側へ折り曲げることによって、第二側板１２８の端部から突出することになる。
ここで、規制用舌片１３０は、第二側板補強板１３８との境界部に設けられ、天板を形成する第五側板１７６に設けた位置ずれ防止用の凹欠部１８０に嵌り込むことができる長さと、位置ずれ防止用の凹欠部１８０に嵌り込んだときに第五側板１７６とほぼ同じ高さ又は１ｍｍ〜２ｍｍ程度高い高さとを備えている。本例では、凹欠部１８０の板厚より１ｍｍ〜２ｍｍ程度高く設定されている。
【００６３】
規制用舌片１３０の両側部には、折線１３２，１３４を折ることによって棚部１２８ａが形成され、折線１３３，１３５を折ることによって棚部１２８ｂが形成される。
第二側板補強板１３８は、組み立てられて収納箱１００の底板を形成する第六側板１８９上に本実施形態に係る収納箱１００の内側から載置された底板補強板１２０を組み立てられた第六側板１８９上に係止するための底板補強板規制用舌片１４１を備えている。底板補強板規制用舌片１４１は、２つのコ字型の切込１４２，１４３と、２つのコ字型の切込１４２，１４３の各端部１４２ｂ，１４３ａを繋ぐ折線１４５と、コ字型の切込１４２の端部１４２ａと第二側板補強板１３８の側端部１３９とを繋ぐ折線１４４と、コ字型の切込１４３の端部１４３ｂと第二側板補強板１３８の側端部１４０とを繋ぐ折線１４６とで構成されている。
【００６４】
第二側板補強板１３８は、組立時に第二側板１２８の内側へ折り込まれるため、折線１３４と折線１４９との連結部１３４ｂより板厚分差し引いた点１３９ａから側部１３９を立ち上げ、折線１３５と折線１２２との連結部１１３ｂより板厚分差し引いた点１４０ａから側部１４０を立ち上げてることによって、両端部１３９，１４０が第二側板補強板１３８の板厚分だけ折線１４９，１２２より内側へ寄せてある。
第二側板補強板１３８は、第二側板１２８の裏面側へ折り込まれたときの高さＨ１は、第二側板１２８の高さＨより底板補強板１２０及び貼着片１８７の板厚分だけ短く設定されている。
【００６５】
第二底板部材１４８は、第二側板補強板１３８と対向して折線１４７を介して第二側板１２８に連接している。
第三側板１５０は、収納箱１００の側面板を形成し、第二側板１２８と同形状を為している。
第三側板１５０は、取っ手用穴１５１と、本実施形態に係る収納箱１００の天板を構成する第五側板１７６の動きを規制する規制用舌片１５２とを備えている。
【００６６】
取っ手用穴１５１は、取っ手用穴１２９と同様に、本実施形態に係る収納箱１００の搬送時に作業者が軍手をして手を掛けることができる大きさに設定されている。
第三側板１５０と第三側板補強板１６１との境界には、天板を形成する第三側板１５０の幅方向に位置ずれ防止用の凹欠部１７９と同じ長さとなるように設けた切込１５３と、この切込１５３の両端部から第三側板補強板１６１の側端部１６２，１６３に向かって同一線上に設けた折線１５４，１５５と、封鎖板１１１の端部１１８ｂに、切込１１４の端部１１４ｂを介して繋がる折線１５６と、折線１５６の端部１５６ａと切込１５３の端部１５３ａとの間に設けた切込１５８と、切込１５３の端部１５３ｂから切込１５８と対称に設けた切込１５９と、切込１５９の端部１５９ａから第三側板１５０の側端部１６０に向かって折線１５６と同一線上に設けた折線１５７とが形成されている。
【００６７】
規制用舌片１５２は、第三側板補強板１６１を折線１５４，１５５，１５６，１５７に沿って第三側板１５０側へ折り曲げることによって、第三側板１５０の端部から突出することになる。
ここで、規制用舌片１５２は、第三側板補強板１６１との境界部に設けられ、天板を構成する第五側板１７６に設けた位置ずれ防止用の凹欠部１７９に嵌り込むことができる長さと、位置ずれ防止用の凹欠部１７９に嵌り込んだときに第五側板１７６とほぼ同じ高さ又は１ｍｍ〜２ｍｍ程度高い高さとを備えている。本例では、凹欠部１７９の板厚より１ｍｍ〜２ｍｍ程度高く設定されている。
【００６８】
規制用舌片１５２の両側部には、折線１５４，１５６を折ることによって棚部１５０ａが形成され、折線１５５，１５７を折ることによって棚部１５０ｂが形成される。
第三側板補強板１６１は、組み立てられて収納箱１００の底板を形成する第六側板１８９上に本実施形態に係る収納箱１００の内側から載置された底板補強板１２０を組み立てられた第六側板１８９上に係止するための底板補強板規制用舌片１６４を備えている。底板補強板規制用舌片１６４は、２つのコ字型の切込１６５，１６６と、２つのコ字型の切込１６５，１６６の各端部１６５ｂ，１６６ａを繋ぐ折線１６８と、コ字型の切込１６５の端部１６５ａと第三側板補強板１６１の側端部１６２とを繋ぐ折線１６７と、コ字型の切込１６６の端部１６６ｂと第三側板補強板１６１の側端部１６３とを繋ぐ折線１６９とで構成されている。
【００６９】
第三側板補強板１６１は、第三側板１５０の裏面側へ折り込まれたときの高さＨ１は、第三側板１５０の高さＨより底板補強板１２０及び貼着片１２６の板厚分だけ短く設定されている。
第三底板部材１７１は、折線１７０を介して第三側板１５０に連接している。
第四側板１７２は、折線１７３を介して組立時に第三側板１５０に糊付けされる接続用舌片１７４を設け、折線１４９を介して第二側板１２８に連接している。第四側板１７２は、横幅が第一側板１１０と同じにしてある。
【００７０】
第五側板１７６は、折線１７５を介して第四側板１７２に連接し、両側部１７７，１７８に規制用舌片１３０，１５２を嵌り込ませる位置ずれ防止用の凹欠部１７９，１８０を備えている。位置ずれ防止用の凹欠部１７９，１８０は、規制用舌片１３０，１５２とほぼ同じ形状を為している。位置ずれ防止用の凹欠部１７９，１８０の前後には、棚部１２８ａ，１２８ｂ、１５０ａ，１５０ｂに嵌め込まれる係止用端部１７７ａ，１７７ｂ、１７８ａ，１７８ｂを備えている。係止用端部１７７ａ，１７７ｂ、１７８ａ，１７８ｂは、棚部１２８ａ，１２８ｂ、１５０ａ，１５０ｂとほぼ同じ形状を為している。
【００７１】
第五側板１７６は、封鎖用舌片１１２を差し込ませる差込口１０３を形成する切込１８１を設けた封鎖板補強板１８４を備えている。切込１８１の両端部１８１ａ，１８１ｂには、折線１７５と平行に折線１８２，１８３が設けられている。
第四底板部材１８６は、折線１８５を介して第四側板１７２に連接している。第四底板部材１８６は、折線１８８を介して貼着片１８７を備えている。
【００７２】
次に、本実施形態に係る収納箱１００の作用について説明する。
ここでは、本実施形態に係る収納箱１００を、例えば、機密書類又はデータを入れたメディアを都度投入しながら収納するために用いる場合について説明する。
先ず、図１１に示す展開された状態において、折線１２２を介して第二側板１２８及び第四側板１７２をそれぞれ第一側板１１０及び第三側板１５０の裏側に折り込み、図１２及び図１３に示す作業現場への納品時の状態とする。なお、図１２及び図１３では、第一側板１１０の右側に第三側板１５０が位置するように折り畳まれているが、図２及び図３に示すように、第一側板１１０の左側に第二側板１２８が位置するように折り畳まれていても良い。
【００７３】
ここで、第三側板１５０と第四側板１７２とは、折線１７３を介して接続用舌片１７４を第三側板１５０の内側へ折り込み、第三側板１５０に接続用舌片１７４を糊付けすることによって固着されている。
また、第一側板１１０、第二側板１２８、第三側板１５０及び第四側板１７２にそれぞれ折線１２４，１４７，１７０，１８５を介して連接する第一底板部材１２５、第二底板部材１４８、第三底板部材１７１及び第四底板部材１８６を、それぞれ第一側板１１０、第二側板１２８、第三側板１５０及び第四側板１７２の内側に折り畳み、第三底板部材１７１の一部を第一側部材１２５上に重ねるとともに第二底部材１４８の一部を第四底部材１８６上に重ねた状態で、第一底板部材１２５の貼着片１２６が第三底板部材１７１の裏面側に糊付けするとともに、第四底板部材１８６の貼着片１８７が第二底板部材１４８の裏面側に糊付けすることによって固着されている。
【００７４】
次に、第一実施形態の図３に示す操作と同様に、底板補強板１２０を切取線１１９を介して第一側板１１０の封鎖用舌片１１２から分離する。
次に、第一実施形態の図４、図５に示す操作と同様に、折線１２２，１３３，１４９を介して第一側板１１０、第二側板１２８、第三側板１５０及び第四側板１７２を、第一側板１１０と第四側板１７２とが対向し、第二側板１２８と第三側板１５０とが対向するように起こす。
【００７５】
同時に、第一底板部材１２５の貼着片１２６が第三底板部材１７１を引き込むとともに、第一底板部材１２５上に第三底板部材１７１の一部を重ね、第四底板部材１８６の貼着片１８７が第二底板部材１４８を引き込むとともに、第四底板部材１８６上に第二底板部材１４８の一部を重ねることによって底板を構成する第六側板１８９を組み上げる。ここで、第六側板１８９の組立は、公知である。
【００７６】
次いで、底板補強板１２０を、組み立てられた第六側板１８９上に載置する。この際、中央部に設けた空気抜き穴１２１及び底板補強板１２０と第一側板１１０、第二側板１２８、第三側板１５０及び第四側板１７２との隙間が、底板補強板１２０の降下時の空気の抜け道を形成し、底板補強板１２０の降下を容易にし、底板補強板１２０の第六側板１８９上への載置作業をやり易くする。
【００７７】
次いで、第一実施形態の図５に示す操作と同様に、折線１３２，１３３，１３４，１３５を介して第二側板補強板１３８を、組み立てられた第二側板１２８の内側へ折り込む。この際、折線１４４，１４５，１４６を介して底板補強板規制用舌片１４１をＬ字型に折り起こしておく。この折り起こされた底板補強板規制用舌片１４１によって底板補強板１２０の一側部を第六側板１８９方向へ押し付ける。
次いで、第一実施形態の図５に示す操作と同様に、折線１５４，１５５，１５６，１５７を介して第三側板補強板１６１を、組み立てられた第三側板１５０の内側へ折り込む。この際、折線１６７，１６８，１６９を介して底板補強板規制用舌片１６４をＬ字型に折り起こしておく。この折り起こされた底板補強板規制用舌片１６４によって底板補強板１２０の他側部を第六側板１８９方向へ押し付ける。
【００７８】
以上によって、第一実施形態の図６に示す構造と同様に、第二側板１２８の内側に第二側板補強板１３８を折り込むことによって補強し、第三側板１５０の内側に第三側板補強板１６１を折り込むことによって補強し、第六側板１８９上に載置された底板補強板１２０を第二側板補強板１３８の底板補強板規制用舌片１４１及び第三側板補強板１６１の底板補強板規制用舌片１６４によって補強する底板の補強構造が形成される。
【００７９】
次に、図１４に示すように、折線１１５を介して封鎖板１１１及び封鎖用舌片１１２を第一側板１１０の前面側へ押し倒す。同時に、折線１８２，１８３を介して封鎖板補強板１８４を起こし、折線１７５を介して第五側板１７６を第六側板１８９方向へ押し倒し、両側部の凹欠部１７９，１８０を規制用舌片１３０，１５２を嵌め込み、凹欠部１７９，１８０の前後の係止用端部１７７ａ，１７７ｂ、１７８ａ，１７８ｂを棚部１２８ａ，１２８ｂ、１５０ａ，１５０ｂに嵌め込むことによって拘束する。
【００８０】
これによって、本実施形態に係る収納箱１００には、第一側板１１０に投入口１０２が形成され、内部に収納スペース１０５が形成される。
この状態で、本実施形態に係る収納箱１００は、例えば、機密書類又はデータを入れたメディアを都度投入口１０２から収納スペース１０５内に投入しながら収納することが可能となる。
この際、投入口１０２の向きは、図面に示すように、横長形状にしても、あるいは、縦長形状になるようにしても良い。
【００８１】
そして、所定量のメディアの投入が完了すると、図１５に示すように、折線１８２，１８３を介して封鎖板補強板１８４を投入口１０２側に折り曲げ、封鎖板１１１を折線１１５を介して起こすとともに、折線１１７を介して封鎖用舌片１１２をＬ字型に折り曲げる。
次いで、図１５に示すように、封鎖板１１１を封鎖板補強板１８４上に重ねながら封鎖用舌片１１２を切込１８１によって形成される差込口１０３内に挿入し、封鎖板１１１を封鎖板補強板１８４上に結合する。
【００８２】
斯くして、例えば、２０ｋｇ等の所定量のメディアを投入した本実施形態に係る収納箱１００は、投入口１０２が封鎖板１１１及び封鎖用舌片１１２によって封鎖される。
この状態で、図１６に示すように、天板である第五側板１７６から前面板である第一側板１１０に亘って封印シール１０４を貼付する。
ここで、封鎖用舌片１１２による切込１８１によって形成される差込口１０３への差し込みによって、封鎖用舌片１１２の鉤型の係止部１１６，１１６の間口が切込１８１の両端部１８１ａ，１８１ｂに係止され、封鎖用舌片１１２の抜け出しを防止する。
【００８３】
従って、所定量のメディアを投入した本実施形態に係る収納箱１００は、第五側板１７６が両側部の凹欠部１７９，１８０を規制用舌片１３０，１５２を嵌め込み、凹欠部１７９，１８０の前後の係止用端部１７７ａ，１７７ｂ、１７８ａ，１７８ｂを棚部１２８ａ，１２８ｂ、１５０ａ，１５０ｂに嵌め込むことによって拘束された状態で、封鎖板補強板１８４を封鎖用舌片１１２によって係止されるので、収納箱１００の形態を保持することが可能となる。
【００８４】
以上のように、本実施形態に係る収納箱１００では、前面板である第一側板１１０に投入口１０２を設けたので、収納物の収納時に蓋体である第五側板１７６を開放しなくても収納物の収納を可能とすることができる。
また、本実施形態に係る収納箱１００では、前面板である第一側板１１０にその両側部が第一側板１１０に残るように投入口１０２を設けたので、残された第一側板１１０の支持壁１９０，１９１と残りの３つの第二側板１２８、第三側板１５０、第四側板１７２とで箱断面形状を構成し、収納箱１００の積み重ね時に蓋体である第五側板１７６に掛かる荷重を第一側板１１０の支持壁１９０，１９１と残りの３つの第二側板１２８、第三側板１５０、第四側板１７２とで支えることが可能となり、積み重ねられたそれぞれの収納箱１００を荷崩れを起こすことなく確実に支えることができる。
【００８５】
しかも、本実施形態に係る収納箱１００では、収納箱１００を積み重ねた時の強度不足を補うために、左右の側板である第二側板１２８及び第三側板１５０にそれぞれ第二側板補強板１３８及び第三側板補強板１６１を折り込み可能に設け、両側面から前面板を支える構造にして強度を高めた。
従って、前面板である第一側板１１０に投入口１０２を設けても、収納箱１００を積み重ねた時に投入口１０２側からの崩れるという課題が解消された。
【００８６】
その結果、１箱最大２０ｋｇの収納箱１を、例えば、最大５段重ねにして集配効率を図ることが可能となった。
従って、この状態で天板である第五側板１７６から前面板である第一側板１１０に亘って貼付された封印シール１０４は、破れる虞が無くなる。
【００８７】
これに対し、収納箱の形態が保持できない場合には、天板がずれると蓋部分の天板から前面にかけて貼付する封印シール１０４が破れてしまうことがある。
封印シール１０４は開封の有無を確認するために判じられるものであるから、容易に破れることはセキュリティ上不都合である。
本実施形態に係る収納箱１００によれば、このような不具合を解消することが可能となる。
【００８８】
そして、底板を形成する第六側板１８９には、図５、図６に示すように、第二側板１２８の内側に第二側板補強板１３８を折り込むことによって補強し、第三側板１５０の内側に第三側板補強板１６１を折り込むことによって補強し、第六側板１８９上に載置された底板補強板１２０を第二側板補強板１３８の底板補強板規制用舌片１４１及び第三側板補強板１６１の底板補強板規制用舌片１６４によって補強することができるので、この種の組立式の側板の欠点である中央部分の強度低下を確実に補うことが可能となる。
【００８９】
従って、例えば、収納箱１００内に最大２０ｋｇ程度の収納物を収納しても、その荷重は底板補強板１２０を介して底板である第六側板１８９に均等に分散し、底板である第六側板１８９が抜けるという虞はなくなる。
また、運搬時に底板である第六側板１８９だけが、何かに引っ掛かって外れるリスクを軽減した。
【００９０】
また、底板を形成する第六側板１８９には、図５、図６に示すように、第二側板１２８の内側に第二側板補強板１３８を折り込むことによって補強し、第三側板１５０の内側に第三側板補強板１６１を折り込むことによって補強し、第六側板１８９上に載置された底板補強板１２０を第二側板補強板１３８の底板補強板規制用舌片１４１及び第三側板補強板１６１の底板補強板規制用舌片１６４によって補強することができるので、この種の組立式の側板の欠点である底板からの侵入を阻止することが可能となる。
【００９１】
即ち、収納箱１００の底板を形成する第六側板１８９から手を入れて中のメディアを抜き取ろうとしても、第二側板補強板１３８の底板補強板規制用舌片１４１及び第三側板補強板１６１の底板補強板規制用舌片１６４によって補強された底板補強板１２０によって、侵入を確実に阻止し、収納物の抜き取りを防止することが可能となり、セキュリティ性が高まった。
【００９２】
また、第二側板１２８及び第三側板１５０は、図５、図６に示すように、第二側板１２８の内側に第二側板補強板１３８を折り込むことによって補強し、第三側板１５０の内側に第三側板補強板１６１を折り込むことによって補強しているので、取っ手用穴１２９，１５１が第二側板補強板１３８及び第三側板補強板１６１によって封鎖され、収納箱１００の内部が見えないようにされる。これによって、取っ手用穴１２９，１５１から収納箱１００内の機密書類又はデータを入れたメディアなどの収納物を見ることができなくなり、セキュリティ性が高まった。
【００９３】
そして、収納箱１００の搬送時において、作業者が軍手をした手を取っ手用穴１２９，１５１に差し込み、収納箱１００を持ち上げる際に、第二側板１２８及び第三側板１５０は、段ボールなどによって構成されているため、収納箱１００の内部方向に撓んで作業者の手の挿入を許容し、所定の位置に収納箱１００を載置し、手を離したときには、第二側板１２８及び第三側板１５０は、自身の復元力で元に戻り、取っ手用穴１２９，１５１を内側から封鎖する。従って、搬送後においても、収納箱１００の密閉性を担保することが可能となる。
また、底板補強板１２０の四隅、第二側板補強板１３８及び第三側板補強板１６１の係止用補強片１４１，１６４の両隅、第五側板１７６の封鎖板補強板１８４の両隅には、丸みを施し、作業者が搬送し易くしてある。
【００９４】
なお、上記各実施形態では、収納箱１、１００を段ボールで構成した場合について説明したが、本発明はこれに限らず、厚紙、プラスチック等で構成しても良い。
また、上記各実施形態では、第一側板１０，１１０、第二側板２８，１２８、第三側板５０，１５０及び第四側板７２，１７２にそれぞれ折線２４，１２４，４７，１４７，７０，１７０，８５，１８５を介して連接する第一底板部材２５，１２５、第二底板部材４８，１４８、第三底板部材７１，１７１及び第四底板部材８６，１８６をそれぞれ折り畳むことによって形成される第六側板８９，１８９を底板とした場合について説明したが、本発明はこれに限らず、ガムテープ等の部材を用いることなく組み立てることが可能な底板であれば良く、その方式、形状を問わない。
【符号の説明】
【００９５】
１，１００  収納箱
２，１０２  投入口
３，１０３  差込口
４，１０４  封印シール
５，１０５  収納スペース
１０，１１０  第一側板
１１，１１１  封鎖板
１２，１１２  封鎖用舌片
１９，１１９  切取線
２０，１２０  底板補強板
２１，１２１  空気抜き穴
２５，１２５  第一底板部材
２６，８７，１２６，１８７  貼着片
２８，１２８  第二側板
２８ａ，２８ｂ，５０ａ，５０ｂ，１２８ａ，１２８ｂ，１５０ａ，１５０ｂ  棚部
２９，５１，１２９，１５１  取っ手用穴
３０，５２，１３０，１５２  規制用舌片
３１，４２，４３，５３，６５，６６，１３１，１４２，１４３，１５３，１６５，１６６  切込
３８，１３８  第二側板補強板
３９，４０，６０，１３９，１４０，１６０  側端部
４１，６４，１４１，１６４  底板補強板規制用舌片
４８，１４８  第二底板部材
５０，１５０  第三側板
６１，１６１  第三側板補強板
７２，１７２  第四側板
７１，１７１  第三底板部材
７６，１７６  第五側板
７７ａ，７７ｂ，７８ａ，７８ｂ，１７７ａ，１７７ｂ，１７８ａ，１７８ｂ  係止用端部
７９，８０，１７９，１８０  位置ずれ防止用の凹欠部
８４，１８４  封鎖板補強板
８６，１８６  第四底板部材
８９，１８９  第六側板
【図１】
2011037517.tif 000003
【図２】
2011037517.tif 000004
【図３】
2011037517.tif 000005
【図４】
2011037517.tif 000006
【図５】
2011037517.tif 000007
【図６】
2011037517.tif 000008
【図７】
2011037517.tif 000009
【図８】
2011037517.tif 000010
【図９】
2011037517.tif 000011
【図１０】
2011037517.tif 000012
【図１１】
2011037517.tif 000013
【図１２】
2011037517.tif 000014
【図１３】
2011037517.tif 000015
【図１４】
2011037517.tif 000016
【図１５】
2011037517.tif 000017
【図１６】
2011037517.tif 000018